(57)【要約】【課題】自動車用のワイヤリングハーネスに適用されるプロテクタにおいて、容易に取り外せるようにする。【解決手段】ワイヤリングハーネス１０が内部に挿通される略筒状のプロテクタ１であって、一端１ａから他端１ｂまで連続するヒンジ５と、このヒンジ５を破断させるヒンジ破断機構９とが設けられている。このヒンジ破断機構９は、平板状のカッタ１１およびドーナツ状のリング１２から構成されている。これにより、ヒンジ破断機構９でプロテクタ１のヒンジ５を破断させれば、プロテクタ１をワイヤリングハーネス１０から容易に取り外すことができる。【選択図】図１
2007166757.tif 000002
【特許請求の範囲】
【請求項１】
線状体が内部に挿通される略筒状のプロテクタであって、
一端から他端まで連続するヒンジと、
このヒンジを破断させるヒンジ破断機構と
が設けられていることを特徴とするプロテクタ。
【請求項２】
前記ヒンジ破断機構は、引張部を有することを特徴とする請求項１に記載のプロテクタ。
【請求項３】
前記ヒンジ破断機構は、前記ヒンジの近傍にまで至る作用点部と、力点となる引張部と、この引張部を引っ張ると前記作用点部が前記ヒンジを押し下げることとなる支点部とを有することを特徴とする請求項１に記載のプロテクタ。
【請求項４】
線状体が内部に挿通された略筒状のプロテクタを前記線状体から取り外す、プロテクタの取り外し方法であって、
前記プロテクタの側面に設けられた引張部を引っ張り、前記側面に設けられた支点部を介して、一端から他端に至るヒンジに作用する作用点部から前記ヒンジに対して力を加えて当該ヒンジを破断させて排出開口部を形成し、この排出開口部を通って前記線状体が抜け出るように前記プロテクタを除去することを特徴とする、プロテクタの取り外し方法。
【発明の詳細な説明】
【技術分野】
【０００１】
本発明は、自動車用のワイヤリングハーネスに適用するに好適な、プロテクタおよびその取り外し方法に関するものである。
【背景技術】
【０００２】
図１０は従来のプロテクタの一例を示す斜視図、図１１は図１０に示すプロテクタの断面図である。
【０００３】
この種のワイヤリングハーネス１０には、図１０に示すように、干渉防止や形状保持を目的としてプロテクタ１が取り付けられている。このプロテクタ１としては、図１１に示すように、樋形状の本体２にヒンジ５を介してカバー３が取り付けられ、カバー３側の２個の係合爪６を本体２側の２個の係合片７に差し込んでカバー３をロックするロック機構８を備えたものが多用されている（例えば、特許文献１参照）。
【特許文献１】特開平１１−２０５９４２号公報
【発明の開示】
【発明が解決しようとする課題】
【０００４】
しかし、自動車の解体時やワイヤリングハーネス１０の補修交換時には、プロテクタ１をワイヤリングハーネス１０から取り外す必要がある。それには、各係合爪６を各係合片７から引き抜いてロック状態を解除した後、カバー３を開けなければならない。したがって、プロテクタ１をワイヤリングハーネス１０から取り外すのに手間がかかるという課題があった。
【０００５】
本発明は、こうした課題を解決することが可能な、プロテクタおよびその取り外し方法を提供することを目的とする。
【課題を解決するための手段】
【０００６】
まず、請求項１に係るプロテクタの発明では、線状体が内部に挿通される略筒状のプロテクタであって、一端から他端まで連続するヒンジと、このヒンジを破断させるヒンジ破断機構とが設けられていることを特徴とする。
また、請求項２に係るプロテクタの発明では、前記ヒンジ破断機構は、引張部を有することを特徴とする。
また、請求項３に係るプロテクタの発明では、前記ヒンジ破断機構は、前記ヒンジの近傍にまで至る作用点部と、力点となる引張部と、この引張部を引っ張ると前記作用点部が前記ヒンジを押し下げることとなる支点部とを有することを特徴とする。
また、請求項４に係るプロテクタの取り外し方法の発明では、線状体が内部に挿通された略筒状のプロテクタを前記線状体から取り外す、プロテクタの取り外し方法であって、前記プロテクタの側面に設けられた引張部を引っ張り、前記側面に設けられた支点部を介して、一端から他端に至るヒンジに作用する作用点部から前記ヒンジに対して力を加えて当該ヒンジを破断させて排出開口部を形成し、この排出開口部を通って前記線状体が抜け出るように前記プロテクタを除去することを特徴とする。
【発明の効果】
【０００７】
本発明のうち請求項１に係る発明によれば、ヒンジ破断機構によってヒンジを破断させることにより、線状体から容易に取り外すことが可能なプロテクタを提供することができる。
本発明のうち請求項２に係る発明によれば、引張部を引っ張ることにより、ヒンジを簡易に破断させることができる。
本発明のうち請求項３に係る発明によれば、引張部を引っ張ることにより、てこの原理を利用して、弱い力でもヒンジを容易に破断させることができる。
本発明のうち請求項４に係る発明によれば、プロテクタのヒンジを破断させることにより、プロテクタを線状体から容易に取り外すことが可能な、プロテクタの取り外し方法を提供することができる。
【発明を実施するための最良の形態】
【０００８】
以下、本発明の実施形態を図面に基づいて説明する。
【０００９】
図１は本発明に係るプロテクタの第１の実施形態を示す斜視図、図２は図１に示すプロテクタの平面図、図３は図１に示すプロテクタの断面図、図４は本発明に係るプロテクタの取り外し方法の一工程を示す断面図、図５は本発明に係るプロテクタの取り外し方法の次の工程を示す断面図、図６は本発明に係るプロテクタの取り外し方法のさらに次の工程を示す断面図、図７は本発明に係るプロテクタの取り外し方法のさらに次の工程を示す斜視図、図８は本発明に係るプロテクタのその他の実施形態を示す断面図、図９は本発明に係るプロテクタのその他の実施形態を示す平面図である。
【００１０】
＜第１の実施形態＞
プロテクタ１は、ポリエチレンやポリプロピレンなどの合成樹脂から四角筒状に成型されており、図１から図３までに示すように、ワイヤリングハーネス１０が内部に挿通される樋形状の本体２を有している。本体２は底板２ａおよび２枚の側壁２ｂ、２ｃから構成されており、本体２の上部には挿入開口部２ｄが形成されている。また、本体２の挿入開口部２ｄには、プロテクタ１を開閉するカバー３が、一端１ａから他端１ｂまで連続する薄肉のヒンジ５を介して矢印Ｍ、Ｎ方向に回動自在に取り付けられている。
【００１１】
また、プロテクタ１は、図２および図３に示すように、ロック機構８を具備しており、ロック機構８は２個の係合片７および２個の係合爪６から構成されている。すなわち、一方の側壁２ｂの上部には２個の係合片７が並設されているとともに、カバー３の先端には２個の係合爪６が並設されており、各係合爪６は各係合片７に対向している。そして、各係合爪６を各係合片７に差し込むと、プロテクタ１は閉蓋状態でロックされ、各係合爪６を各係合片７から引き抜くと、このロック状態が解除される。
【００１２】
さらに、カバー３の表面には、図２に示すように、ヒンジ破断機構９が設けられており、ヒンジ破断機構９は、平板状のカッタ１１およびドーナツ状のリング１２から構成されている。ここで、カッタ１１は、図４に示すように、その先端部分（先端部１１ａと、全長の１／４ほど先端部１１ａから後退した中間部１１ｂとの間）がカバー３の表面中央部に接着されている。カッタ１１の先端部１１ａは、鋭角に形成されてヒンジ５の中央部に位置決めされている。また、カッタ１１の後端部１１ｃには、リング１２が取り付けられている。
【００１３】
プロテクタ１は以上のような構成を有するので、ワイヤリングハーネス１０にプロテクタ１が取り付けられた状態で、このプロテクタ１をワイヤリングハーネス１０から取り外す際には、次の手順による。
【００１４】
最初に、プロテクタ１のヒンジ５を破断させる。
【００１５】
それには、まず、図５に示すように、リング１２を持ち上げる。すると、てこ（梃子）の原理により、カッタ１１の中間部１１ｂが支点となり、カッタ１１の後端部１１ｃが力点となり、カッタ１１の先端部１１ａが作用点となるため、カッタ１１の後端部１１ｃがプロテクタ１の外方へ引っ張られ、カッタ１１の先端部１１ａがヒンジ５の中央部を内方に押し下げる。その結果、先端部１１ａはヒンジ５の中央部を穿孔する。このとき、カッタ１１の先端部１１ａは鋭角であるため、ヒンジ５の穿孔作業を円滑に行うことができる。また、カッタ１１の後端部１１ｃにはリング１２が取り付けられているので、カッタ１１が平板状であっても容易に後端部１１ｃを外方へ引っ張ることができる。
【００１６】
次に、図６に示すように、リング１２をさらに持ち上げる。すると、カッタ１１の先端部１１ａは、ヒンジ５の中央部を一層強く押し下げるので、ヒンジ５を全長にわたって切り裂く形で破断させる。このとき、ヒンジ５は他の部分より薄肉に形成されているため、切り裂き作業を円滑に行うことができる。その結果、図７に示すように、本体２の側壁２ｃとカバー３とが分離し、そこに排出開口部４が形成される。
【００１７】
こうしてプロテクタ１のヒンジ５が破断したところで、プロテクタ１をワイヤリングハーネス１０から除去する。このとき、ワイヤリングハーネス１０が排出開口部４を通って抜け出るようにする。
【００１８】
ここで、プロテクタ１の取り外し作業が終了する。
【００１９】
このように、プロテクタ１のヒンジ５を破断させるだけでプロテクタ１をワイヤリングハーネス１０から取り外すことができるので、各係合爪６を各係合片７から引き抜いてロック状態を解除しなければならない従来法と比べて、プロテクタ１をワイヤリングハーネス１０から容易に取り外すことができる。
【００２０】
しかも、てこの原理を利用しているので、力点となるリング１２の引張力が弱くても、作用点となる先端部１１ａがヒンジ５を強く押し下げるため、ヒンジ５を容易に切り裂くことができる。
【００２１】
また、カッタ１１は平板状であるため、出っ張り部分はほとんどない。したがって、カバー３にカッタ１１を付設したからといってプロテクタ１が嵩張ることはほとんどない。
【００２２】
また、ワイヤリングハーネス１０の排出部位（排出開口部４）がワイヤリングハーネス１０の挿入部位（挿入開口部２ｄ）とは異なるため、プロテクタ１のロック機構８を設計するときに、ワイヤリングハーネス１０の排出容易性を考慮する必要はなく、設計の自由度が高くなる。
【００２３】
＜その他の実施形態＞
上述の実施形態においては、ヒンジ破断機構９がカバー３に設けられたプロテクタ１について説明したが、ヒンジ破断機構９の設置部位はカバー３に限るわけではない。例えば、本体２の側壁２ｃにヒンジ破断機構９を設けることもできる。
【００２４】
上述の実施形態においては、四角筒状のプロテクタ１について説明したが、プロテクタ１の形状は、略筒状である限り、どのような形状でもよい。例えば、八角筒状や円筒状でも構わない。
【００２５】
上述の実施形態においては、平板状のカッタ１１について説明したが、図８に示すように、略への字状のカッタ１１を代用することも可能である。この場合、カッタ１１の後端部１１ｃ（てこの力点）がカバー３から離れており、両者間に隙間ができるので、たとえリング１２がなくても、この隙間に手指を挿入して簡単にヒンジ５を押し下げることができる。
【００２６】
上述の実施形態においては、カッタ１１の先端部１１ａがヒンジ５の中央部に位置決めされた場合について説明したが、図９に示すように、ヒンジ５の一端１ａまたは他端１ｂの近傍にカッタ１１の先端部１１ａを位置決めしても構わない。この場合、ヒンジ５の中央部から切り裂く場合と比べて、ヒンジ５の抵抗力が弱まるので、ヒンジ５の切り裂き作業が容易となる。
【００２７】
上述の実施形態においては、てこの原理を利用することにより、ヒンジ５を押し下げて破断させる場合について説明したが、ヒンジ５の近傍に引張部（図示せず）を添設しておき、この引張部を外方へ引っ張ることにより、直接ヒンジ５を破断させるようにしてもよい。この場合、ヒンジ５を簡易に破断させることができる。
【００２８】
上述の実施形態においては、カバー３の表面にヒンジ破断機構９が設けられた場合について説明したが、カバー３の裏面にヒンジ破断機構９を設けてもよい。この場合、ヒンジ破断機構９がプロテクタ１の内部に格納されるので、出っ張り部分がなくなる。したがって、ワイヤリングハーネス１０の配索スペースが狭小であっても、プロテクタ１を取り付けやすくなる。
【００２９】
上述の実施形態においては、ワイヤリングハーネス１０からプロテクタ１を取り外す場合について説明したが、ワイヤリングハーネス１０以外の線状体（例えば、各種の電線など）に本発明を適用することも可能である。
【産業上の利用可能性】
【００３０】
本発明は、自動車、航空機、電車、製造プラント、電化製品、ＯＡ機器など各種の産業分野に広く適用することができる。
【図面の簡単な説明】
【００３１】
【図１】本発明に係るプロテクタの第１の実施形態を示す斜視図である。
【図２】図１に示すプロテクタの平面図である。
【図３】図１に示すプロテクタの断面図である。
【図４】本発明に係るプロテクタの取り外し方法の一工程を示す断面図である。
【図５】本発明に係るプロテクタの取り外し方法の次の工程を示す断面図である。
【図６】本発明に係るプロテクタの取り外し方法のさらに次の工程を示す断面図である。
【図７】本発明に係るプロテクタの取り外し方法のさらに次の工程を示す斜視図である。
【図８】本発明に係るプロテクタのその他の実施形態を示す断面図である。
【図９】本発明に係るプロテクタのその他の実施形態を示す平面図である。
【図１０】従来のプロテクタの一例を示す斜視図である。
【図１１】図１０に示すプロテクタの断面図である。
【符号の説明】
【００３２】
１……プロテクタ
２……本体
３……カバー
４……排出開口部
５……ヒンジ
６……係合爪
７……係合片
８……ロック機構
９……ヒンジ破断機構
１０……ワイヤリングハーネス（線状体）
１１……カッタ
１１ａ……先端部（作用点部）
１１ｂ……中間部（支点部）
１１ｃ……後端部（引張部）
１２……リング
【図１】
2007166757.tif 000003
【図２】
2007166757.tif 000004
【図３】
2007166757.tif 000005
【図４】
2007166757.tif 000006
【図５】
2007166757.tif 000007
【図６】
2007166757.tif 000008
【図７】
2007166757.tif 000009
【図８】
2007166757.tif 000010
【図９】
2007166757.tif 000011
【図１０】
2007166757.tif 000012
【図１１】
2007166757.tif 000013